(57)【要約】【課題】    解決しようとする課題は、遠隔地設置装置において動作異常などが生じた場合に、動作監視内容を的確な伝達先に、的確な内容で伝達することである。【解決手段】  動作監視を行う監視部を備えた遠隔地設置装置、または、複数の遠隔地設置装置の動作監視を行う遠隔地設置装置統合監視装置であって、遠隔地設置装置の動作異常を検出した場合に、予め遠隔地設置装置、または、遠隔地設置装置統合監視装置に登録した電子メール送信先に対して、遠隔地設置装置に動作異常が生じた事を電子メールで通知するメール送信機能を有することで実現した。【選択図】図１
2006340024.tif 000002
【特許請求の範囲】
【請求項１】
動作監視を行う監視部を備えた遠隔地設置装置であって、監視部により遠隔地設置装置の動作異常を検出した場合に、予め遠隔地設置装置に登録した電子メール送信先に対して、遠隔地設置装置に動作異常が生じた事を電子メールで通知するメール送信機能を有することを特徴とする遠隔地設置装置。
【請求項２】
請求項１記載の遠隔地設置装置であって、監視部に電子メール送信先を登録した際に、当該登録した電子メール送信先に対して、遠隔地設置装置の動作異常を検出した場合に電子メールが送信されることを通知する確認メール送信機能を有することを特徴とする遠隔地設置装置。
【請求項３】
複数の遠隔地設置装置の動作監視を行う遠隔地設置装置統合監視装置であって、遠隔地設置装置統合監視装置により遠隔地設置装置の動作異常を検出した場合に、予め遠隔地設置装置統合監視装置に登録した電子メール送信先に対して、遠隔地設置装置に動作異常が生じた事を電子メールで通知するメール送信機能を有することを特徴とする遠隔地設置装置統合監視装置。
【請求項４】
請求項３記載の遠隔地設置装置統合監視装置であって、遠隔地設置装置統合監視装置に電子メール送信先を登録した際に、当該登録した電子メール送信先に対して、遠隔地設置装置の動作異常を検出した場合に電子メールが送信されることを通知する確認メール送信機能を有することを特徴とする遠隔地設置装置統合監視装置。
【発明の詳細な説明】
【技術分野】
【０００１】
本発明は、通信放送設備など遠隔地に設置される機器である遠隔地設置装置、または、複数の通信放送設備など遠隔地に設置される機器である遠隔地設置装置を一括して状態監視・動作状況管理を行う遠隔地設置装置統合監視装置において、その動作異常などの動作監視内容を所望の相手に通知する遠隔地設置装置及び遠隔地設置装置統合監視装置に関する。
【背景技術】
【０００２】
通信放送設備など遠隔地に設置される機器である遠隔地設置装置では、遠隔地に設置されているが故に、その動作異常などが生じた場合に、動作監視内容を迅速に把握し、改善の為の準備や、現地へ赴くなどして早急な修理等の改善が必要である。
従来の通信放送設備など遠隔地に設置される機器である遠隔地設置装置では、その動作監視に電話回線を利用して遠隔地設置装置からモデム通信を行い、アラームなど動作異常発生時に予め登録した電話番号に対して、遠隔地設置装置の異常発生を報告していた。また、複数の通信放送設備など遠隔地に設置される機器である遠隔地設置装置を一括して状態監視・動作状況管理を行う遠隔地設置装置統合監視装置においも同様に、その動作監視に電話回線を利用して遠隔地設置装置統合監視装置からモデム通信を行い、アラームなど動作異常発生時に予め登録した電話番号に対して、遠隔地設置装置の異常発生を報告していた。
しかしながら、点在する遠隔地設置装置に迅速に対応する為には、１つの通知先に連絡するだけでは、どの作業者に対応させるか等を改めて調べなくてはならず、また、作業者も、自分が対応する対象物や役割も事前に把握できなかった。更に、動作異常などが生じた場合に、動作監視内容を具体的に伝達することも困難であった。
【発明の開示】
【発明が解決しようとする課題】
【０００３】
解決しようとする課題は、遠隔地設置装置において動作異常などが生じた場合に、動作監視内容を的確な伝達先に、的確な内容で伝達することである。
【課題を解決するための手段】
【０００４】
本発明は、上記課題を鑑みて為されたものであり、動作監視を行う監視部を備えた遠隔地設置装置、または、複数の遠隔地設置装置の動作監視を行う遠隔地設置装置統合監視装置であって、遠隔地設置装置の動作異常を検出した場合に、予め遠隔地設置装置、または、遠隔地設置装置統合監視装置に登録した電子メール送信先に対して、遠隔地設置装置に動作異常が生じた事を電子メールで通知するメール送信機能を有することを特徴とする。
更には、電子メール送信先を登録した際に、当該登録した電子メール送信先に対して、遠隔地設置装置の動作異常を検出した場合に電子メールが送信されることを通知する確認メール送信機能を有することを特徴とする。
【発明の効果】
【０００５】
本発明の遠隔地設置装置、または、遠隔地設置装置統合監視装置では、遠隔地設置装置の動作異常を検出した場合に、予め登録した電子メール送信先に対して、遠隔地設置装置に動作異常が生じた事を電子メールで通知することで、動作監視内容を的確な伝達先に、的確な内容で伝達することができる点である。
更には、送信先の電子メールアドレスを登録する際、確認メールを送信することで、電子メールアドレスが正しく設定されているかを確認することができ、電子メールアドレスの設定ミスを防止することができる。また、動作異常が生じた事を電子メールで通知する前に、確認メールを送信することで、メール内容に、メールの役割・機能を示しておけば、メールを受信した作業者は、その役割・機能に関して事前に知ることができる。
【発明を実施するための最良の形態】
【０００６】
遠隔地設置装置の動作異常を検出した場合に、予め登録した電子メール送信先に対して、遠隔地設置装置に動作異常が生じた事を電子メールで通知することで実現した。
【実施例１】
【０００７】
以下に本発明の実施の形態について図を用いて一実施例を説明する。
図１は、本発明の実施例１における構成の一実施例である。遠隔地に設置される装置である遠隔地設置装置１１は、例えば、無線通信の中継等を行う放送通信設備等である。遠隔地設置装置１１は、動作監視を行う監視部を備えており、遠隔地設置装置１１に動作異常等が生じた場合、遠隔地設置装置１１は、検出した動作異常の内容について通信回線と電話回線網２１を介して、予め遠隔地設置装置に登録した電子メール送信先に対して、遠隔地設置装置に動作異常が生じた事を電子メールで通知する。設定用パソコン３１は、動作状態を監視したり、電子メール送信先の電子メール宛先アドレスを設定したり、その他、保守点検時にも用いることができる。
尚、上記では、電子メールの送信には、電話回線網を用いることで説明したが、電話回線網に限られるものではなく、ＬＡＮ（ローカルエリアネットワーク）やパケット通信網など様々な通信網も用いても良いものである。
【実施例２】
【０００８】
以下に本発明の実施の形態について図を用いて一実施例を説明する。
図２は、本発明の実施例２における構成の一実施例である。遠隔地に設置される装置である遠隔地設置装置１１は、上記実施例１同様に、例えば、無線通信の中継等を行う放送通信設備等である。遠隔地設置装置１１には、動作監視を行う監視部を実施例１同様に備えていても良く、また、監視部に相当する機能を遠隔地設置装置総合監視装置４１に備えていても良い。上記実施例１では、遠隔地設置装置が１つであったが、本実施例では、複数の遠隔地設置装置１１〜１ｎから構成され、遠隔地設置装置１１に動作異常等が生じた場合には、遠隔地設置装置総合監視装置４１で総合的に監視されている。遠隔地設置装置１１に動作異常等が生じた場合、遠隔地設置装置総合監視装置４１は、検出した動作異常の内容について通信回線と電話回線網２１を介して、予め遠隔地設置装置総合監視装置４１に登録した電子メール送信先に対して、遠隔地設置装置に動作異常が生じた事を電子メールで通知する。設定用パソコン３１は、上記実施例１同様に、動作状態を監視したり、電子メール送信先の電子メール宛先アドレスを設定したり、その他、保守点検時にも用いることができる。
尚、上記では、電子メールの送信には、電話回線網を用いることで説明したが、実施例１同様に、電話回線網に限られるものではなく、ＬＡＮ（ローカルエリアネットワーク）やパケット通信網など様々な通信網も用いても良いものである。
【０００９】
上記、実施例１及び実施例２における電子メール送信先の登録に関して、設定ツールの画面構成を、図３を用いて一実施例として説明する。尚、実施例１及び実施例２における遠隔地設置装置及び遠隔地設置装置総合監視装置において、電子メール送信先を登録する方法、また、確認メールを送信する方法は同様である。
図３は、本発明における電子メール送信先登録画面の一実施例である。環境設定画面１０１が、各設定や確認メールを送信する画面である。メールアカウント・ユーザ名設定入力部１０２は、メールサーバへアクセスするためのユーザ名を入力する部分である。メールアカウント・パスワード設定入力部１０３は、メールサーバにアクセスするためのパスワードを入力する部分である。メールアカウント・メールアドレス設定入力部１０４は、遠隔地設置装置、または、遠隔地設置装置総合監視装置に割り当てられるメールアドレスを入力する部分である。メールアカウント・メールサーバ設定入力部１０５は、メール送信に使用するメールサーバ名を入力する部分である。送信先電子メールアドレス入力部１０６は、動作異常発生時などに送信される、状態報告メールを送信する送信先アドレスを入力する部分である。設定ボタン部１０７は、入力した内容を遠隔地設置装置、または、遠隔地設置装置総合監視装置に登録する際に選択する部分である。設定確認メール送信ボタン部１０８は、登録設定した送信先アドレスに対して、確認メールを送信する際に選択する部分である。
以下に、電子メールアドレス設定時における確認メールを送信する手順を示す。図１、または、図２に示す設定用パソコン３１の設定画面において、以下の各設定項目を入力する。メールアカウント・ユーザ名設定入力部１０２に、メールサーバへアクセスするためのユーザ名を入力し、メールアカウント・パスワード設定入力部１０３に、メールサーバにアクセスするためのパスワードを入力し、メールアカウント・メールアドレス設定入力部１０４に、遠隔地設置装置、または、遠隔地設置装置総合監視装置に割り当てられるメールアドレスを入力し、メールアカウント・メールサーバ設定入力部１０５に、メール送信に使用するメールサーバ名を入力する。そして、送信先電子メールアドレス入力部１０６に、動作異常発生時などに送信される、状態報告メールを送信する送信先アドレスを入力する。この際、送信先アドレスは、複数設定することが可能である。各項目を入力した後、設定ボタン部１０７を選択すると、入力した内容を遠隔地設置装置、または、遠隔地設置装置総合監視装置に入力した内容が登録されると同時に、設定確認メールを送信するかどうかを問い合わせる画面が表示される。確認メールを送信するかどうかを問い合わせる画面において、メール送信することが選択されると、遠隔地設置装置、または、遠隔地設置装置総合監視装置は、送信先電子メールアドレス入力部１０６に登録された送信アドレスにしたがって、設定確認メールを送信する。確認メールを送信するかどうかを問い合わせる画面において、メール送信しないことが選択されると、設定内容が保存されるのみで、設定確認メールは送信されない。尚、各項目を入力した後であっても、設定確認メール送信ボタン部１０８を押下することで、任意のタイミングで設定した送信先アドレスに対して、設定確認メールを送信することが可能である。
【図面の簡単な説明】
【００１０】
【図１】本発明の実施例１における構成の一実施例
【図２】本発明の実施例２における構成の一実施例
【図３】本発明における電子メール送信先登録画面の一実施例
【図４】本発明における確認メールの本文内容の一実施例
【符号の説明】
【００１１】
１１〜１ｎ…遠隔地設置装置、２１…電話回線網、３１…設定用パソコン、４１…遠隔地設置装置総合監視装置、１０１…環境設定画面、１０２…メールアカウント・ユーザ名設定入力部、１０３…メールアカウント・パスワード設定入力部、１０４…メールアカウント・メールアドレス設定入力部、１０５…メールアカウント・メールサーバ設定入力部、１０６…送信先電子メールアドレス入力部、１０７…設定ボタン部、１０８…設定確認メール送信ボタン部
【図１】
2006340024.tif 000003
【図２】
2006340024.tif 000004
【図３】
2006340024.tif 000005
【図４】
2006340024.tif 000006